(57)【特許請求の範囲】
【請求項１】
メッセージを受信する受信手段と、メッセージを保存する記憶手段と、メッセージを出力する出力手段と、前記出力手段への出力制御を行う出力制御手段と、受信メッセージを出力するか否かを判定する基準となる条件情報を記憶する条件情報記憶手段と、メッセージ間の比較によって生じた結果を保存する比較情報記憶手段と、前記受信手段により受信したメッセージと前記メッセージ記憶手段に保存されるメッセージとを比較し、その比較により生じた比較情報を前記比較情報記憶手段に保存される比較結果情報に合成して、前記比較情報記憶手段に保存し、前記比較情報記憶手段に保存された比較結果情報と前記条件情報記憶手段に記憶される条件情報とを比較することにより、前記出力制御手段に対して出力要求するか否かを判定処理するメッセージ処理手段とを備えることを特徴とする無線呼出装置。
【請求項２】
前記受信手段により受信したメッセージと前記メッセージ記憶手段に保存されるメッセージを比較することにより得られる前記比較情報は、比較対象である前記メッセージ記憶手段に保存されるメッセージが、既読であれば前記比較情報記憶手段に上書き保存し、未読であれば前記比較情報記憶手段に保存される比較結果情報と合成して前記比較情報記憶手段に保存することを特徴とする請求項１記載の無線呼出装置。
【発明の詳細な説明】
【０００１】
【発明の属する技術分野】
本発明は、メッセージを受信して表示等の出力が可能な無線呼出装置に関するものである。
【０００２】
【従来の技術】
従来の無線呼出装置では、受信したメッセージをメモリに保存し、メッセージを表示するということが行われていた。受信した各メッセージはそれぞれ独立しており、メッセージ表示や保存において、それぞれのメッセージは独立に行われている。しかしながら、このような従来の無線呼出装置では、メッセージ間の関係より生じる情報を提示することはできないといった課題がある。また、このような従来の無線呼出装置では、メッセージを受信する度に、メッセージのメモリへの保存およびメッセージの受信通知および表示が行われる。
【０００３】
しかしながら、このような無線呼出装置では、頻繁にメッセージを受信する場合、例えば、時々刻々と変化する株価情報を受信する場合は、メッセージ受信の度に通知が行われ、煩わしいといった課題がある。頻繁にメッセージ受信通知が行われて煩わしいといった課題を解決するために、特開平６−１４０９８２号公報に開示される表示付き無線選択呼出受信機は、傍受したい個別の情報アイテムを選択する入力手段と、前記入力手段で選択した個別の情報アイテムおよび前記情報アイテムに関する情報を記憶・表示する記憶表示手段と、新たにメッセージを受信した場合は前記メッセージの特定の一部が前記選択した個別の情報アイテムに対応しかつ前記情報アイテムに関する情報の内容が変化した時のみ前記表示手段を書き換える書換え手段を備えている。
【０００４】
このように構成される特開平６−１４０９８２号公報に開示される無線呼出装置では、予め取り決められたアイテムの中から入力手段を用いて選択し、受信メッセージが選択したアイテムに関するメッセージであるか否かを判定し、選択したアイテムに関するメッセージであり、かつアイテムについての情報の内容が変化した場合にのみ、表示の更新や特別の報知を行っている。
【０００５】
【発明が解決しようとする課題】
しかしながら、上記の特開平６−１４０９８２号公報に開示される無線呼出装置も含め従来の無線呼出装置では、メッセージ間の関係によって生じた情報を提示することはできない。また、上記の特開平６−１４０９８２号公報に開示される無線呼出装置では、選択呼出番号が傍受したい情報分野に対応し、情報アイテムとその情報アイテムに関する情報とから構成されるメッセージのみを対象としている。また、注目するアイテムに関する情報が頻繁に変化する場合には、その都度通知され、煩わしさは解消されない。
【０００６】
上記の課題に鑑み本発明は、新着のメッセージとすでに受信し保存しているメッセージとの比較を行い、その結果生じた新たな比較情報を、ユーザに提示することができる無線呼出装置を提供することを目的とする。また、着信後即刻通知および表示する必要のあるメッセージか無いメッセージかを、新着メッセージと保存メッセージとを比較することにより得られる比較情報を用いて、区別できる無線呼出装置を提供することを目的とする。
【０００７】
【課題を解決するための手段】
上記第１の課題を解決するために本第１の発明は、メッセージを出力するか否かを判定する基準となる条件情報を記憶する条件情報記憶手段と、メッセージ間の比較によって生じた比較結果情報を保存する比較情報記憶手段と、受信手段により受信したメッセージとメッセージ記憶手段に保存されるメッセージとを比較し、その比較により生じた比較情報を比較情報記憶手段に記憶される比較結果情報に加えて、比較情報記憶手段に保存し、比較情報記憶手段に保存された比較結果情報と条件情報記憶手段に記憶される条件情報とを比較し、出力制御手段に対して出力要求するか否かを判定処理するメッセージ処理手段とを備える。
【００１０】
【発明の実施の形態】
（実施の形態１）
以下、本発明の第１の実施の形態について、図１から図５を用いて説明する。図１は、本発明の実施の形態１における無線呼出装置１のブロック図を示す。１１は、メッセージを受信する受信手段である。１２は、メッセージを保存するメッセージ記憶手段である。１３は、メッセージの着信を通知するベルやバイブレータなどのメッセージ通知機能とメッセージおよび比較情報を表示する表示機能からなる出力手段である。１４は、出力手段１３への出力制御を行う出力制御手段である。１５は、受信手段１１により受信したメッセージとメッセージ記憶手段１２に保存するメッセージとを比較し、比較により生じた比較情報を用いて出力制御手段に出力要求するメッセージ処理手段である。
【００１１】
以上のように構成された本発明の実施の形態１における無線呼出装置の動作概要を以下に示す。ここで、図２は、本発明の無線呼出装置１におけるメッセージを受信する処理の流れを示すフローチャートである。
【００１２】
メッセージ受信時の処理の流れを以下に説明する。
ステップ１０１：受信手段１１によりメッセージを受信すれば、ステップ１０２へ、そうでなければ受信待ちを続ける。
【００１３】
ステップ１０２：メッセージ処理手段１５は、受信メッセージとメッセージ記憶手段１２に保存されているメッセージとを比較し、比較情報を生成する。
【００１４】
ステップ１０３：メッセージ処理手段１５は、受信メッセージをメッセージ記憶手段１２に保存する。
【００１５】
ステップ１０４：メッセージ処理手段１５は、ステップ１０２において生成された比較情報を用いて、受信メッセージを表示するように出力制御手段１４に要求する。出力制御手段１４は、メッセージ処理手段１５からの要求により、出力手段１３を用いて受信通知制御およびメッセージ表示を行う。
【００１６】
以上のように動作する本実施の形態１における無線呼出装置１の具体的な動作を次に説明する。ここでは、株価情報配信を例にとり説明する。受信するメッセージは、２つのアイテムを含む構成とする。各アイテムは、それぞれ銘柄に対応する価格を表す数値情報である。出力制御手段１４は予め決められた画面レイアウト情報を保持し、メッセージ処理手段１５からの要求により、保持する画面レイアウト情報と受信メッセージおよび比較情報とを合成し、画面表示するものとする。図３は、メッセージ記憶手段１２に保存されているメッセージ例である。３１は、メッセージ中の第１の情報要素であるアイテム１に関する情報内容である。３２は、メッセージ中の第２の情報要素であるアイテム２に関する情報内容である。
【００１７】
図４は、受信メッセージ例である。４１は、アイテム１に関する情報内容である。４２は、アイテム２に関する情報内容である。図３に示すメッセージがメッセージ記憶手段１２に保存されている時に、図４に示すメッセージを受信した時の動作を示す。ステップ１０１において、受信手段１１は、メッセージを受信したのでステップ１０２へ進む。ステップ１０２において、メッセージ処理手段１５は、受信メッセージとメッセージ記憶手段１２に保存される最新のメッセージとを、メッセージ中のそれぞれのアイテムに関して比較する。ここでは、各アイテムに関して、受信メッセージ中のアイテムの情報内容と、メッセージ記憶手段１２に保存されるメッセージ中のアイテムの情報内容との差をとることにより各アイテムに関する比較情報を生成する。すなわち、生成されるアイテム１に関する比較情報は、「１２０」−「１００」より「＋２０」となる。同様に、アイテム２に関する比較情報は「＋１０」となる。ステップ１０３において、受信メッセージをメッセージ記憶手段１２に追加保存する。ステップ１０４において、メッセージ処理手段１５は、出力制御手段１４に受信通知とメッセージおよび比較情報の表示を要求する。出力制御手段１４は、メッセージ処理手段１５からの要求により、ベルを鳴らしたり、バイブレータを振動させたりＬＥＤを点滅させるなどして出力手段１３への着信通知制御とメッセージおよび比較情報の表示制御を行う。
【００１８】
受信メッセージの表示例を図５に示す。５１は、受信メッセージ中のアイテム１に関する情報内容の表示である。５２は、受信メッセージ中のアイテム２に関する情報内容の表示である。５３は、ステップ１０２において生成されたアイテム１に関する比較情報１の表示である。５４は、ステップ１０２において生成されたアイテム２に関する比較情報２の表示である。なお、ステップ１０２において、メッセージ記憶手段１２に比較対象とするメッセージが保存されていない場合は、比較情報１（５３）および比較情報２（５４）は、生成されず表示もされない。
【００１９】
なお、ステップ１０２の比較において、メッセージ記憶手段１２に保存する最新のメッセージとしたが、比較の対象とするのは最新のメッセージでなくとも良い。なお、ステップ１０３のメッセージ記憶手段１２へのメッセージの保存方法において、本実施の形態では追加保存するとしたが、上書き保存することによりメモリの使用量を削減しても良い。なお、ステップ１０４の比較情報の表示において、変化量を表示する例を示したが、値が増加したものは反転表示や点滅表示などするよう出力制御手段１４を構成しても良い。この場合、比較情報の表示のための表示領域を設ける必要はなく、限られた表示領域では有効となる。
【００２０】
（実施の形態２）
以下、本発明の第２の実施の形態について、図６から図１１を用いて説明する。図６は、本発明の実施の形態２における無線呼出装置６０のブロック図を示す。６１は、メッセージを受信する受信手段である。６２は、メッセージを保存するメッセージ記憶手段である。６３は、メッセージの着信を通知するベルやバイブレータなどのメッセージ通知機能とメッセージおよび比較情報を表示する表示機能からなる出力手段である。６４は、出力手段６３への出力制御を行う出力制御手段である。６５は、受信通知やメッセージ表示を行うか否かを判定する基準となる条件情報を記憶する条件情報記憶手段である。６６は、受信手段６１により受信したメッセージとメッセージ記憶手段６２に保存するメッセージとを比較し、比較により生じた比較情報が条件情報記憶手段６５に記憶する条件情報に当てはまれば、出力制御手段６４に出力要求するメッセージ処理手段である。
【００２１】
以上のように構成された本発明の実施の形態２における無線呼出装置の動作概要を以下に示す。ここで、図７は、本発明の無線呼出装置６０におけるメッセージを受信する処理の流れを示すフローチャートである。メッセージ受信時の処理の流れを以下に説明する。
【００２２】
ステップ２０１：受信手段６１によりメッセージを受信すれば、ステップ２０２へ、そうでなければ受信待ち状態を続ける。
【００２３】
ステップ２０２：メッセージ処理手段６６は、受信メッセージとメッセージ記憶手段６２に保存されているメッセージを比較し、比較情報を生成する。
【００２４】
ステップ２０３：メッセージ処理手段６６は、受信メッセージをメッセージ記憶手段６２に保存する。
【００２５】
ステップ２０４：メッセージ処理手段６６は、ステップ２０２において生成された比較情報が条件情報記憶手段６５に記憶する条件情報に当てはまるか否かを判定し、当てはまればステップ２０５へ、そうでなければ、ステップ２０１の受信待ち状態へ戻る。
【００２６】
ステップ２０５：メッセージ処理手段６６は、受信メッセージおよび比較情報を表示するように出力制御手段６４に要求する。出力制御手段６４は、メッセージ処理手段６６からの要求により、出力手段６３を用いて受信通知制御とメッセージおよび比較情報の表示を行う。
【００２７】
以上のように動作する実施の形態２における無線呼出装置６０の具体的な動作を次に説明する。ここでは、本実施の形態１と同様に株価情報配信を例にとり説明する。本実施の形態１と同様に、受信するメッセージは、２つのアイテムを含む構成とする。同様に、出力制御手段６４は予め決められた画面レイアウト情報を保持し、メッセージ処理手段６６からの要求により、保持する画面レイアウト情報と受信メッセージおよび比較情報とを合成し、画面表示するものとする。
【００２８】
図８は、条件情報記憶手段６５に記憶される、受信通知やメッセージ表示を行うか否かを判定する基準となる条件情報例である。８１は、アイテム１に関する条件情報であり、ステップ２０２において生成されるアイテム１に関する比較情報が「＋４０」以上であれば条件が成立することを示す。８２は、アイテム２に関する条件情報であり、ステップ２０２において生成されるアイテム２に関する比較情報が「−２０」以下であれば条件が成立することを示す。
【００２９】
図９は、メッセージ記憶手段６２に保存されているメッセージ例である。９１は、アイテム１の情報内容である。９２は、アイテム２の情報内容である。図１０（１）および（２）は、第１および第２の受信メッセージ例である。１０１１は、第１の受信メッセージにおけるアイテム１の情報内容である。１０１２は、第１の受信メッセージにおけるアイテム２の情報内容である。１０２１は、第２の受信メッセージにおけるアイテム１の情報内容である。１０２２は、第２の受信メッセージにおけるアイテム２の情報内容である。
【００３０】
図８に示す条件情報が条件情報記憶手段６５に記憶され、図９に示すメッセージがメッセージ記憶手段１２に保存されている時に、図１０（１）に示すメッセージ、さらに図１０（２）に示すメッセージを受信した時の動作を示す。最初に、図１０（１）に示すメッセージを受信した時の動作を示す。
【００３１】
ステップ２０１において、受信手段６１は、メッセージを受信したのでステップ２０２へ進む。
【００３２】
ステップ２０２において、メッセージ処理手段６６は、受信メッセージとメッセージ記憶手段６２に保存されている最新のメッセージとを比較し、メッセージ中の各アイテムに関してそれぞれ比較を行う。各アイテムに関して受信メッセージ中のアイテムの情報内容と、メッセージ記憶手段６２に保存されるメッセージ中のアイテムの情報内容との差をとることにより各アイテムに関する比較情報を生成する。すなわち、生成されるアイテム１に関する比較情報は、「１２０」−「１００」より「＋２０」となる。同様に、アイテム２に関する比較情報は「＋１０」となる。
【００３３】
ステップ２０３において、受信メッセージをメッセージ記憶手段６２に追加保存する。
【００３４】
ステップ２０４において、メッセージ処理手段６６は、ステップ２０２において生成された比較情報が条件情報記憶手段６５に記憶する条件情報に当てはまるか否かを判定する。各アイテム関してそれぞれの比較情報が条件情報記憶手段６５に記憶されるそれぞれの条件情報に当てはまるか否かを判定する。アイテム１に関する比較情報「＋２０」は、アイテム１に関する条件情報「＋４０」以上の条件に当てはまらない。また、アイテム２に関する比較情報「＋１０」も、アイテム２に関する条件情報「−２０」以下という条件に当てはまらない。いずれ条件も当てはまらないので受信メッセージの出力を行わずに、ステップ２０１の受信待ち状態へ戻る。
【００３５】
続いて、図１０（２）に示すメッセージを受信した時の動作を示す。ステップ２０１において、受信手段６１は、メッセージを受信したのでステップ２０２へ進む。
【００３６】
ステップ２０２において、メッセージ処理手段６６は、受信メッセージとメッセージ記憶手段６２に保存されている最新のメッセージ（図１０（１）のメッセージ）とを比較し、メッセージ中の各アイテムに関して比較を行う。各アイテムに関して、受信メッセージ中のアイテムの情報内容と、メッセージ記憶手段６２に保存されているメッセージ中のアイテムの情報内容との差をとることにより各アイテムに関する比較情報を生成する。すなわち、生成されるアイテム１に関する比較情報は、「１６０」−「１２０」より「＋４０」となる。同様に、アイテム２に関する比較情報は「−５」となる。
【００３７】
ステップ２０３において、受信メッセージをメッセージ記憶手段６２に追加保存する。
【００３８】
ステップ２０４において、メッセージ処理手段６６は、ステップ２０２において生成された比較情報が条件情報記憶手段６５に記憶する条件情報に当てはまるか否かを判定する。各アイテムに関してそれぞれの比較情報が条件情報記憶手段６５に記憶されているそれぞれの条件情報に当てはまるか否かを判定する。アイテム１に関する比較情報「＋４０」は、アイテム１に関する条件情報「＋４０」以上の条件に当てはまる。アイテム２に関する比較情報「−５」は、アイテム２に関する条件情報「−２０」以下という条件に当てはまらない。少なくとも１つの条件が成立する、すなわちアイテム１に関する比較情報がアイテム１に関する条件情報に当てはまるので、ステップ２０５へ進む。
【００３９】
ステップ２０５において、メッセージ処理手段６６は、出力制御手段６４に受信通知とメッセージおよび比較情報の表示を要求する。出力制御手段６４は、メッセージ処理手段６６からの要求により、ベルを鳴らしたり、バイブレータを振動させたりＬＥＤを点滅させるなどして出力手段６３への着信通知制御とメッセージおよび比較情報の表示制御とを行う。
【００４０】
受信メッセージの表示例を図１１に示す。１１１は、受信メッセージ中のアイテム１に関する情報内容の表示である。１１２は、受信メッセージ中のアイテム２に関する情報内容の表示である。ここでは、ステップ２０４において、アイテム１に関する条件の成立したことを提示するためにアイテム１に関する情報内容１１１を反転表示している。その後、ステップ２０１の受信待ち状態へ戻る。なお、ステップ２０２において、メッセージ記憶手段６２に比較対象とするメッセージが記憶されていない場合は、ステップ２０４における判定は成立したものとし、受信通知およびメッセージ表示は行われる。なお、ステップ２０２の比較において比較対象とするメッセージは、メッセージ記憶手段６２に保存されている最新のメッセージとしたが、必ずしも最新のメッセージでなくとも良い。なお、メッセージ記憶手段６２に保存するメッセージに、すでに表示を行ったか否かを示す既読／未読情報を付加し、ステップ２０２の比較において比較対象とするメッセージを既読メッセージとすることにより、最後に表示したメッセージを比較対象とすることが可能となる。なお、ステップ２０３のメッセージ記憶手段６２へのメッセージの保存方法において、本実施の形態では追加保存するとしたが、上書き保存することによりメモリの使用量を削減しても良い。
【００４１】
（実施の形態３）
以下、本発明の第３の実施の形態について、図１２から図１９を用いて説明する。なお、本実施の形態３では、関連するメッセージの保存には上書き保存を行う例を示す。
【００４２】
図１２は、本発明の実施の形態３における無線呼出装置１２０のブロック図を示す。１２１は、メッセージを受信する受信手段である。１２２は、メッセージを保存する記憶手段である。１２３は、メッセージの着信通知機能およびメッセージを表示する表示機能からなる出力手段である。１２４は、出力手段１２３への出力制御を行う出力制御手段である。１２５は、メッセージの受信通知およびメッセージ表示するか否かを判定する基準となる条件情報を記憶する条件情報記憶手段である。１２６は、メッセージ間の比較によって生じた結果を保存する比較情報記憶手段である。１２７は、受信手段１２１により受信したメッセージとメッセージ記憶手段１２２に保存されるメッセージとを比較し、その比較により生じた比較情報を比較情報記憶手段１２６に保存される比較結果情報に組み入れ、前記比較情報記憶手段１２６に保存し、前記比較情報記憶手段１２６に保存された比較結果情報と条件情報記憶手段１２５に記憶される条件情報とを比較し、出力制御手段１２４に対してメッセージの受信通知およびメッセージ表示を要求するか否かを判定処理するメッセージ処理手段である。
【００４３】
以上のように構成された本発明の実施の形態３における無線呼出装置１２０の動作概要を以下に示す。ここで、図１３は、本発明の無線呼出装置１２０におけるメッセージを受信する処理の流れを示すフローチャートである。メッセージ受信時の処理の流れを以下に説明する。
【００４４】
ステップ３０１：受信手段１２１によりメッセージを受信すれば、ステップ３０２へ、そうでなければ受信待ちを続ける。
【００４５】
ステップ３０２：メッセージ処理手段１２７は、受信メッセージ中のメッセージ識別子と同一メッセージ識別子を含むメッセージがメッセージ記憶手段１２２に保存されていれば、ステップ３０３へ、そうでなければステップ３０４へ。
【００４６】
ステップ３０３：メッセージ記憶手段１２７に保存される新着メッセージと同一メッセージ識別子のメッセージが未読であれば、ステップ３０５へ、そうでなければステップ３０６へ。
【００４７】
ステップ３０４：メッセージ処理手段１２７は、出力制御手段１２４に対して、メッセージ受信通知および受信メッセージ表示の要求を行う。出力制御手段１２４は、メッセージ処理手段１２７からの要求により、出力手段１２３へのメッセージ受信通知制御および受信メッセージ表示制御を行う。その後、ステップ３０７へ。
【００４８】
ステップ３０５：メッセージ処理手段１２７は、新着メッセージとメッセージ記憶手段１２２に保存される同一メッセージ識別子のメッセージとを比較し、その比較により生じた比較情報を比較情報記憶手段１２６に保存されている比較結果情報に加え合わせ、ステップ３０８へ。
【００４９】
ステップ３０６：メッセージ処理手段１２７は、新着メッセージとメッセージ記憶手段１２２に保存される同一メッセージ識別子のメッセージとを比較し、その比較により生じた比較情報を比較情報記憶手段１２６に上書き保存し、ステップ３０８へ。
【００５０】
ステップ３０７：メッセージ処理手段１２７は、新着メッセージに既読情報を付加してメッセージ記憶手段１２２に保存し、ステップ３０１の待ち受け状態へもどる。
【００５１】
ステップ３０８：ステップ３０５もしくはステップ３０６において更新された比較情報記憶手段１２６に保存される比較結果情報は条件情報記憶手段１２５に記憶される条件情報を満たせば、ステップ３０９へ、そうでなければステップ３１０へ。
【００５２】
ステップ３０９：メッセージ処理手段１２７は、出力制御手段１２４に対して、メッセージ受信通知と比較情報記憶手段１２６に保存される比較結果情報を用いた受信メッセージの表示とを要求する。出力制御手段１２４は、メッセージ処理手段１２７からの要求により、出力手段１２３へのメッセージ受信通知制御と比較結果情報を用いた受信メッセージの表示とを行う。その後、ステップ３１１へ。
【００５３】
ステップ３１０：メッセージ処理手段１２７は、新着メッセージをメッセージ記憶手段１２２に上書き保存し、既読／未読情報を未読にし、ステップ３０１の待ち受け状態にもどる。
【００５４】
ステップ３１１：メッセージ処理手段１２７は、新着メッセージをメッセージ記憶手段１２２に上書き保存し、既読／未読情報を既読にし、ステップ３０１の待ち受け状態にもどる。
【００５５】
以上のように動作する本実施の形態３における無線呼出装置１２０の具体的な動作を次に説明する。図１４は、本実施の形態３における無線呼出装置１２０が受信するメッセージに含まれるデータの構造図である。受信メッセージは、受信メッセージの種別を表すメッセージ識別子１４１と、任意の個数からなるアイテム１４２とを含む。
【００５６】
図１５は、本実施の形態３における条件情報記憶手段１２５に記憶される条件情報の例である。１５１は、受信メッセージ種別を表すメッセージ識別子である。１５２は、次に続くデータがアイテム１に対応する条件情報であることを示す識別子である。１５３は、アイテム１に関する条件情報であり、アイテム１に関する比較結果が「＋４０」以上であれば、条件が成立することを示す。１５４は、次に続くデータがアイテム２に対応する条件情報であることを示す識別子である。１５５は、アイテム２に関する条件情報であり、アイテム２に関する比較結果が「−２０」以下であれば条件が成立することを示す。条件情報記憶手段１２５に、前述の図１５に示すように条件情報が設定されている時に、図１６（１）に示す第１の受信メッセージを受信した時の動作例を図１２〜図１９を用いて示す。なお、この時、メッセージ記憶手段１２２には保存されているメッセージはないものとする。
【００５７】
図１６（１）において、１６１１は、受信メッセージの種別を表すメッセージ識別子である。１６１２は、次に続くデータがアイテム１の情報内容であることを示す識別子である。１６１３は、アイテム１の情報内容である。１６１４は、次に続くデータがアイテム２の情報内容であることを示す識別子である。１６１５は、アイテム２の情報内容である。
【００５８】
図１３のステップ３０１において、受信手段１２１により図１６（１）に示すメッセージを受信したので、ステップ３０２へ進む。
【００５９】
ステップ３０２において、メッセージ処理手段１２７は、メッセージ記憶手段１２２を検索し、メッセージ記憶手段１２２には、新着メッセージと同一メッセージ識別子を持つメッセージは保存されていないので、ステップ３０４へ進む。
【００６０】
ステップ３０４において、メッセージ処理手段１２７は、出力制御手段１２４に対して着信通知およびメッセージ表示を行うよう要求する。出力制御手段１２４は、メッセージ処理手段１２７からの要求により、ベルを鳴らしたり、バイブレータを振動させたり、ＬＥＤを点滅させるなどして出力手段１２３への着信通知制御およびメッセージ表示制御を行う。
【００６１】
受信メッセージの表示例を図１９（１）に示す。表示画面例の図１９（１）における、１９１１の「１００」は、図１６（１）の受信メッセージにおけるアイテム１の情報内容１６１３に対応する表示である。１９１２の「８０」は、図１６（１）の受信メッセージにおけるアイテム２の情報内容１６１５に対応する表示である。その他の「銘柄」や「価格」といった表示は、出力制御手段１２４が予め保持するデータであり、出力制御手段１２４はその予め保持するデータとメッセージ処理手段１２７からのメッセージおよび比較情報の出力要求にとを組み合わせて表示するものとする。さらに、ステップ３０７において、メッセージ処理手段１２７は、受信メッセージに既読情報を付加してメッセージ記憶手段１２２に保存し、ステップ３０１の待ち受け状態に戻る。
【００６２】
ここで、メッセージ記憶手段１２２に保存されるメッセージ情報を、図１７（１）に示す。１７１０は、メッセージは既読であるか否かを示す未読／既読情報であり、ここではすでにメッセージは表示済であるので既読を表す情報「１」が保存される。１７１１〜１７１５には、図１６（１）に示す受信メッセージ情報（１６１１〜１６１５）が保存される。
【００６３】
次に、前述の図１７（１）に示すメッセージ情報がメッセージ記憶手段１２２に保存されている状態で、図１６（２）に示す第２のメッセージを受信した時の動作例を図１２〜図１９を用いて示す。
【００６４】
図１８（１）は、比較情報記憶手段１２６に保存される比較情報を示す。１８１１は、受信メッセージの種別を表すメッセージ識別子である。１８１２は、次に続くデータがアイテム１に対応する比較結果情報であることを示す識別子である。１８１３は、アイテム１に対応する比較結果情報であり、比較結果情報は「０」であることを示す。１８１４は、次に続くデータがアイテム２に対応する比較結果情報であることを示す識別子である。１８１５は、アイテム２に対応する比較結果情報であり、比較結果情報は「０」であることを示す。
【００６５】
図１８（２）および（３）も図１８（１）と同様の構成である。ここで、図１８（１）に示すように、比較情報記憶手段１２６に保存される比較結果情報１（１８１３）および比較結果情報２（１８１５）は「０」とする。
【００６６】
図１３のステップ３０１において、受信手段１２２により図１６（２）の第２のメッセージを受信したので、ステップ３０２へ進む。
【００６７】
ステップ３０２において、メッセージ処理手段１２７は、メッセージ記憶手段１２２を検索する。メッセージ記憶手段１２２に新着メッセージと同一メッセージ識別子のメッセージ（図１７（１）に示すメッセージ）が保存されているので、ステップ３０３へ進む。
【００６８】
ステップ３０３において、保存されている同一メッセージ識別子のメッセージは既読／未読情報１７１０が既読「１」であるので、ステップ３０６へ進む。
【００６９】
ステップ３０６において、メッセージ処理手段１２７は、新着メッセージ（図５（２）に示すメッセージ）とメッセージ記憶手段１２２に保存される同一メッセージ識別子のメッセージ（図１７（１）に示すメッセージ）とを比較する。ここで、新着メッセージと保存されるメッセージとを、各アイテム毎に比較し、この比較結果を比較情報記憶手段１２６に上書き保存する。
【００７０】
比較情報記憶手段１２６に保存される情報例を図１８（２）に示す。１８２１は、メッセージ識別子である。１８２２は、次に続くデータがアイテム１に関する比較結果情報であることを示す識別子である。１８２３は、アイテム１に関する比較結果情報である。１８２４は、次に続くデータがアイテム２に関する比較結果情報であることを示す識別子である。１８２５は、アイテム２に関する比較結果情報である。
【００７１】
アイテム１に関する比較結果情報１８２３は、新着メッセージ中のアイテム１の情報内容（１６２３）の「１２０」と、メッセージ記憶手段１２２に保存されるメッセージ中のアイテム１の情報内容（１７１３）の「１００」との差である「＋２０」を示す。
【００７２】
同様にアイテム２に関する比較結果情報１８２５は、新着メッセージ中のアイテム２の情報内容（１６２５）の「９０」と、メッセージ記憶手段１２２に保存されるメッセージ中のアイテム２の情報内容（１７１５）の「８０」との差である「＋１０」を示す。比較情報記憶手段１２６に比較結果情報を保存した後に、ステップ３０８へ進む。
【００７３】
ステップ３０８において、メッセージ処理手段１２７は、上記ステップ３０６において更新された比較情報記憶手段１２６に保存される比較結果情報が条件情報記憶手段１２５に記憶される条件に当てはまるか否かを判定する。
【００７４】
ここで、図１５での説明で述べたように、条件情報記憶手段１２５に記憶されるメッセージ受信通知およびメッセージ表示のための条件は、アイテム１に関しては「＋４０」以上、アイテム２に関しては「−２０」以下である。よって、図１８（２）に示す比較情報記憶手段１２６に保存されたアイテム１に関する比較結果情報１８２３、またはアイテム２に関する比較結果情報１８２５は、条件情報記憶手段１２５に記憶される条件に当てはまらないので、ステップ３１０へ進む。
【００７５】
ステップ３１０において、メッセージ処理手段１２７は、図１６（２）に示す新着メッセージをメッセージ記憶手段１２２に上書き保存し、既読／未読情報を未読とし、ステップ１の受信待ち状態にもどる。
【００７６】
ここで、メッセージ記憶手段１２２に保存されるメッセージ情報を図１７（２）に示す。１７２０は、既読／未読情報であり、ここでは未読であることを示す「０」が保存される。１７２１〜１７２５には、受信メッセージ（図１６（２）に示すメッセージ）の情報が保存される。なお、ユーザの操作により、メッセージ記憶手段１２２に保存される図１７（２）に示すメッセージが呼び出された時の表示は、図１９（２）に示す表示となり、この時メッセージ記憶手段１２２に保存される既読／未読情報１７２０は、既読を示す「１」が保存される。
【００７７】
次に、前述の状態、すなわち、メッセージ記憶手段１２２には図１７（２）に示すメッセージ情報が保存され、条件情報記憶手段１２５には図１５に示す条件情報が記憶され、比較情報記憶手段１２６には図１８（２）に示す比較結果情報が保存されている状態で、図１６（３）に示す第３のメッセージを新たに受信した時の動作例を図１２〜図１９を用いて示す。
【００７８】
図１３のステップ３０１において、受信手段１２１により図１６（３）に示すメッセージを受信したので、ステップ３０２へ進む。
【００７９】
ステップ３０２において、メッセージ処理手段１２７は、メッセージ記憶手段１２２を検索する。メッセージ記憶手段１２２には、新着メッセージと同一メッセージ識別子のメッセージ（図１７（２）に示すメッセージ）が保存されているので、ステップ３０３へ進む。
【００８０】
ステップ３０３において、保存されている同一メッセージ識別子のメッセージは、未読（すなわち、図１７（２）における既読／未読情報１７２０が「０」）であるのでステップ３０５へ進む。
【００８１】
ステップ３０５において、メッセージ処理手段１２７は、図１６（３）に示す第３の新着メッセージと図１７（２）に示すメッセージ記憶手段１２２に保存される同一メッセージ識別子のメッセージとを比較する。ここで、メッセージ処理手段１２７は、新着メッセージと保存しているメッセージとを、各アイテム毎に比較を行い、この比較結果を比較情報記憶手段１２６に保存している図１８（２）に示す比較結果情報１（１８２３）および比較結果情報２（１８２５）にそれぞれ加え合わせて保存する。
【００８２】
この結果、比較情報記憶手段１２６に保存される比較結果情報を図１８（３）に示す。アイテム１に関する比較結果情報１（１８３３）は、新着メッセージ中のアイテム１（１６３３）の「１５０」と、メッセージ記憶手段１２２に保存する図１７（２）に示すメッセージ中のアイテム１の情報内容（１７２３）の「１２０」との差である「＋３０」と、メッセージ比較手段１２６に保存するアイテム１に関する比較結果情報１８２３の情報「＋２０」とをたし合わせた「＋５０」を、比較結果情報１（１８３３）として比較情報記憶手段１２６に保存される。
【００８３】
同様にアイテム２に関する比較結果情報１８３５は、新着メッセージ中のアイテム２の情報内容（１６３５）の「８０」と、メッセージ記憶手段１２２に保存する図１７（２）に示すメッセージ中のアイテム２の情報内容（１７２５）の「９０」との差である「−１０」と、メッセージ比較手段１２６に保存するアイテム２に関する比較結果情報１８２５の「＋１０」とをたし合わせた「０」を比較結果情報２（１８３５）として比較情報記憶手段１２６に保存される。
【００８４】
図１８（３）に示すように、比較情報記憶手段１２６に比較結果情報を保存した後に、ステップ３０８へ進む。
【００８５】
ステップ３０８において、メッセージ処理手段１２７は、上記のステップ３０５において、更新された図１８（３）に示す比較結果情報と図１５に示す条件情報とを、それぞれアイテム１およびアイテム２に関して比較を行う。ここでアイテム１に関する比較結果情報１（１８３３）の「＋５０」は、条件情報１（１５３）の「＋４０」以上という条件に当てはまる。一方、アイテム２に関する比較結果情報２（１８３５）の「０」は、条件情報２（１５５）の「−２０」以下という条件には当てはまらない。少なくとも１つ条件が成立（すなわち、アイテム１に関する条件が成立）するので、ステップ３０９へ進む。
【００８６】
ステップ３０９において、メッセージ処理手段１２７は、出力制御手段１２４に対して着信通知と図１８（３）に示す比較結果情報を用いて新着メッセージの表示を行うよう要求する。メッセージ制御手段１２４は、メッセージ処理手段１２７からの要求により、ベルを鳴らしたり、バイブレータを振動させたり、ＬＥＤを点滅させるなどして出力手段１２３への着信通知制御およびメッセージ表示制御を行う。
【００８７】
受信メッセージの表示例を図１９（３）に示す。１９３１の「１５０」は、図１６（３）の受信メッセージにおけるアイテム１に関する情報内容（１６３３）に対応する表示である。ここで、反転表示されているのは、条件情報記憶手段１２６に保存されるアイテム１に関する比較結果情報１（１８３３）が、条件情報記憶手段１２５に記憶される条件情報１（１５３）を満たしていることを示す。１９３２の「８０」は、図１６（３）の受信メッセージにおけるアイテム２に関する情報内容（１６３５）に対応する表示である。その後、ステップ３１１へ進む。ステップ３１１において、メッセージ処理手段１２７は、受信メッセージに既読情報の「１」を付加してメッセージ記憶手段１２２に保存し、ステップ３０１の待ち受け状態に戻る。
【００８８】
ここで、メッセージ記憶手段１２２に保存されるメッセージ情報を、図１７（３）に示す。１７３０は、既読／未読情報であり、ここではすでにメッセージは表示済であるので既読を表す情報「１」が保存される。１７３１〜１７３５には、図１６（３）に示す受信メッセージ情報（１６３１〜１６３５）が保存される。なお、ステップ３０９において、比較結果情報に基づく出力を「反転表示する」としたが、比較情報記憶手段１２６に保存されるアイテム１およびアイテム２に関する情報内容である「＋５０」、「−１０」をそれぞれ画面上に表示するなど、比較結果情報を用いた表示であれば図１９（３）に示す反転表示に限定されることはない。
【００８９】
【発明の効果】
以上にように本発明によれば、従来の無線呼出装置では課題となる、新着メッセージと既に受信済のメッセージとの比較から生じる情報をユーザに提示することができ、新着メッセージが受信済のメッセージに対してどのような意味を持つのかを表示することが可能となる。
【００９０】
また、本発明によれば、情報サービスにおけるメッセージの受信などのように頻繁に受信するメッセージに対して、着信の度に通知および表示されるという煩わしさを解消し、必要となるメッセージのみ即時通知するようにすることが可能となる。
【図面の簡単な説明】
【図１】本実施の形態１における無線呼出装置のブロック図
【図２】本実施の形態１における無線呼出装置のメッセージ受信動作フローチャート
【図３】本実施の形態１におけるメッセージ記憶手段に保存されるメッセージ例を示す図
【図４】本実施の形態１における受信メッセージ例を示す図
【図５】本実施の形態１におけるメッセージ表示例を示す図
【図６】本実施の形態２における無線呼出装置のブロック図
【図７】本実施の形態２における無線呼出装置のメッセージ受信動作フローチャート
【図８】本実施の形態２における条件情報記憶手段に記憶される条件情報例を示す図
【図９】本実施の形態２におけるメッセージ記憶手段に保存されるメッセージ例を示す図
【図１０】本実施の形態２における受信メッセージ例を示す図
【図１１】本実施の形態２におけるメッセージ表示例を示す図
【図１２】本実施の形態３における無線呼出装置のブロック図
【図１３】本実施の形態３における無線呼出装置のメッセージ受信動作フローチャート
【図１４】本実施の形態３における受信メッセージ構造図
【図１５】本実施の形態３における条件情報記憶手段に記憶される条件情報例を示す図
【図１６】本実施の形態３における受信メッセージ例を示す図
【図１７】本実施の形態３におけるメッセージ受信後にメッセージ記憶手段に保存されるメッセージ情報例を示す図
【図１８】本実施の形態３における比較情報記憶手段に保存される比較結果情報例を示す図
【図１９】本実施の形態３におけるメッセージ表示例を示す図
【符号の説明】
１  無線呼出装置
【図１】
0003755232.tif 000002
【図２】
0003755232.tif 000003
【図３】
0003755232.tif 000004
【図４】
0003755232.tif 000005
【図５】
0003755232.tif 000006
【図６】
0003755232.tif 000007
【図７】
0003755232.tif 000008
【図８】
0003755232.tif 000009
【図９】
0003755232.tif 000010
【図１０】
0003755232.tif 000011
【図１１】
0003755232.tif 000012
【図１２】
0003755232.tif 000013
【図１３】
0003755232.tif 000014
【図１４】
0003755232.tif 000015
【図１５】
0003755232.tif 000016
【図１６】
0003755232.tif 000017
【図１７】
0003755232.tif 000018
【図１８】
0003755232.tif 000019
【図１９】
0003755232.tif 000020